(57)【特許請求の範囲】
【請求項１】
絶縁性材料で成るソケットボディに、引掛け型グロースターターの口金ピンが挿入される一対の口金ピン挿入孔と、電線が挿入される電線挿入孔とが設けられ、前記ソケットボディ内に一対の導電金具が収納され、前記各導電金具は、前記口金ピンが接続保持される口金ピン保持部と前記電線挿入孔から挿入された電線が接続される速結端子部とを有し、前記口金ピン挿入孔は前記口金ピンの大径部が挿入可能な大径部と前記グロースターターが所要角度回転されることで同グロースターターを係止する小径部とから成るグロースタータソケットにおいて、
前記速結端子部を、前記口金ピン挿入孔の大径部近傍であって前記ソケットボディの外側から該口金ピン挿入孔を通して視認可能な位置に配置し、
前記電線挿入孔への電線の挿入方向が、前記口金ピン挿入孔へのグロースターターの挿入方向と直交するように構成され、
前記速結端子部が電線を挟み込む鎖錠ばね部とそれに対峙する導電部とから形成され、
前記鎖錠ばね部が電線挟み込み時にソケットボディの内側に向けて開くように形成されていることを特徴とするグロースタータソケット。
【請求項２】
前記導電金具は、前記速結端子部の導電部をグロースターターの回転装着方向と略同一方向へ延長し、その先端側を前記鎖錠ばね部と同じ側へ９０度以上曲げることにより前記口金ピン保持部を形成し、該口金ピン保持部が速結端子部に掛からないようにしたことを特徴とする請求項１記載のグロースタータソケット。
【請求項３】
前記口金ピン保持部の先端を、前記口金ピン挿入孔の大径部から遠ざかる方向へ曲げたことを特徴とする請求項２記載のグロースタータソケット。
【発明の詳細な説明】
【０００１】
【発明の属する技術分野】
本発明は、電線を挿入するとワンタッチで端子に接続可能な速結端子を有すると共に、引掛けスワン型のグロースターターを装着することができるグロースタータソケットに関するものである。
【０００２】
【従来の技術】
従来、この種のグロースタータソケットとしては、実開昭５３−２１８８３号公報、実開昭５７−６２３９１号等に示される構成が知られている。この種の従来のソケットを図９及び図１０に示す。このソケット１０１は、樹脂材料等で成るソケットボディ１０４及びその上面カバー１０２と、ソケットボディ１０４内に収納された端子部を構成する導電板１０６とから成り、ソケットボディ１０４の両側面には電線挿入孔１１７が形成され、上面カバー１０２には引掛けスワン型のグロースターター１２０の口金ピン１２５が挿入される一対の口金ピン挿入孔１２３（大径部と小径部からなる）が中心点対称にほぼ弧状に形成されている。導電板１０６の端子部は、直線平板状の口金ピン保持部１０７と、電線１０９を速結する導電部１０８ａ及び鎖錠ばね部１０８ｂから成る速結端子部１０８とを有する。また、ソケットボディ１０４には、電線挿入孔１１７から挿入された電線１０９の芯線１１０の先端を止めるストッパリブ１１１が形成されている。
【０００３】
電線挿入孔１１７に挿入された電線１０９の芯線１１０が速結端子部１０８を構成する導電部１０８ａと鎖錠ばね部１０８ｂとの間に挟まれてワンタッチで電気的に接続されると共に、抜け防止される。その後、口金ピン１２５は、図１０（底面側からの図）に示すように、上面カバー１０２の口金ピン挿入孔１２３の大径部１２３ａから挿入され、この状態から回転されると、口金ピン保持部１０７に当接し、そのばね性により口金ピン挿入孔１２３の小径部１２３ｂの位置で抜け止めされる。このような速結端子部１０８を有する引掛けスワン型のグロースタータソケットは、電線１０９及びグロースターター１２０をワンタッチで接続することができる。
【０００４】
【発明が解決しようとする課題】
しかしながら、上述したような従来の構成においては、電線１０９が速結端子部１０８で確実に接続されたかどうかを、作業者が目視することができなかった。その原因としては、（１）口金ピン挿入孔１２３の大径部１２３ａと速結端子部１０８とが離れている。小径部１２３ｂからの視界は孔が小さいため、十分ではなく、視認性が悪い。（２）導電部１０８ａと鎖錠ばね部１０８ｂとによる電線を挟む位置が口金ピン挿入孔１２３からは背面側に位置するなど、速結端子部１０８の向きが悪い。（３）口金ピン挿入孔１２３と速結端子部１０８がソケットボディ１０４に形成されたストッパリブ１１１で遮られていること等が挙げられる。
【０００５】
また、口金ピン保持部１０７が直線平板状であるため、口金ピンの保持部と支点間の距離が長くなり、保持力は小さく、中途半端な位置で固定される場合があり、クリック感は専ら口金ピン挿入孔１２３の形状に依存するので、必ずしも十分なものが得られないものとなっていた。
【０００６】
本発明は、上述した問題点を解決するためになされたものであり、ソケットに挿入された電線が速結端子部で確実に挟持されたことを作業者が容易に目視することができ、電線の速結端子部への電気的な接続及び抜け防止を確実に行うことができるグロースタータソケットを提供することを目的とする。
【０００７】
【課題を解決するための手段】
上記目的を達成するために請求項１に記載の発明は、絶縁性材料で成るソケットボディに、引掛け型グロースターターの口金ピンが挿入される一対の口金ピン挿入孔と、電線が挿入される電線挿入孔とが設けられ、前記ソケットボディ内に一対の導電金具が収納され、前記各導電金具は、前記口金ピンが接続保持される口金ピン保持部と前記電線挿入孔から挿入された電線が接続される速結端子部とを有し、前記口金ピン挿入孔は前記口金ピンの大径部が挿入可能な大径部と前記グロースターターが所要角度回転されることで同グロースターターを係止する小径部とから成るグロースタータソケットにおいて、前記速結端子部を、前記口金ピン挿入孔の大径部近傍であって前記ソケットボディの外側から該口金ピン挿入孔を通して視認可能な位置に配置し、前記電線挿入孔への電線の挿入方向が、前記口金ピン挿入孔へのグロースターターの挿入方向と直交するように構成され、前記速結端子部が電線を挟み込む鎖錠ばね部とそれに対峙する導電部とから形成され、前記鎖錠ばね部が電線挟み込み時にソケットボディの内側に向けて開くように形成されているものである。
【０００８】
上記構成においては、速結端子部をソケットボディの外側から口金ピン挿入孔を通して視認可能となるので、速結端子部に電線が確実に挟持されたことを目視することができ、これにより、電線と導電金具との電気的な接続及び抜け防止を確実なものとすることができる。
【０００９】
電線挿入孔への電線の挿入方向が口金ピン挿入孔へのグロースターターの挿入方向と直交するように構成されているので、ソケットボディの上面からグロースターターを装着し、側面から電線を挿入する形態を採用可能であり、ソケットボディの小型化に寄与し得る。
【００１１】
速結端子部が電線を挟み込む鎖錠ばね部とそれに対峙する導電部とから形成され、前記鎖錠ばね部が電線挟み込み時にソケットボディの内側に向けて開くように形成されているので、鎖錠ばね部が電線を挟持している状態を視認し易くなる。
【００１２】
請求項２に記載の発明は、請求項１記載のグロースタータソケットにおいて、導電金具は、速結端子部の導電部をグロースターターの回転装着方向と略同一方向へ延長し、その先端側を鎖錠ばね部と同じ側へ９０度以上曲げることにより口金ピン保持部を形成し、該口金ピン保持部が速結端子部に掛からないようにしたものである。この構成においては、口金ピン保持部とその支点との距離が短くなるため、大きなグロースターター保持力が得られる。
【００１３】
請求項３に記載の発明は、請求項２記載のグロースタータソケットにおいて、口金ピン保持部の先端を、口金ピン挿入孔の大径部から遠ざかる方向へ曲げたものである。この構成においては、口金ピン保持部が口金ピン挿入孔を通して速結端子部を視認する際の邪魔になることがなくなり、また、口金ピン保持部が山形状部となり、口金ピンが導電板の内側へ入ることを防ぎ、かつ、グロースターター回転装着時のクリック感が得られる。
【００１４】
【発明の実施の形態】
以下、本発明の一実施形態に係るグロースタータソケットについて図面を参照して説明する。図１は分解状態でのソケットの外観を、図２はソケットを底面側から見た構成を、図３はソケットに収納される導電金具の構成を示す。これらの図において、ソケット１は、樹脂材料等で成る絶縁性のソケットボディ４（以下、ボディと記す）と、このボディ４内にソケット中心に対して対称位置に収納した一対の導電金具６，６とから構成されている。各導電金具６（詳細構成は後述）はボディ４内に両側面開口より装入される。
【００１５】
ボディ４の上面にはグロースターター２０の一対の口金ピン大径部２５が挿入される口金ピン挿入孔２３，２３が形成される。ボディ４の左右両側面には電線９，９が挿入される電線挿入口１７，１７が形成されている。各口金ピン挿入孔２３は、口金ピン大径部２５（ピン先端部）を受け入れる大径部２３ａと、それに連続的に開口していて口金ピン小径部２６（ピン根元部）を通す小径部２３ｂとから成り、ソケット中心に対して略弧状に対称に配置されている。
【００１６】
グロースターター２０及び各電線９は、グロースターター２０の口金ピン大径部２５を各口金ピン挿入孔２３の大径部２３ａに挿入し、所要角度回転させることで、また、各電線９を各電線挿入口１７から挿入することで、各導電金具６にワンタッチで電気的及び機械的に接続される。なお、口金ピン挿入孔２３の小径部２３ｂは、グロースターター２０の回転移動時に口金ピン小径部２６を案内するとともに、グロースターター２０の抜け止めと所定以上の回転移動を停止させる。
【００１７】
導電金具６には、口金ピン大径部２５を当接保持する口金ピン保持ばね部７と、電線９の芯線１０を接続する速結端子部８とが一体に折り曲げ形成されている。口金ピン保持ばね部７は、導電板基部６ａの一端側６ｂ（支点となる）を後述の鎖錠ばね部８ｂと同じ側へ９０度以上曲げることにより形成される。同保持ばね部７の先端側には、導電板基部６ａから遠ざかる方向に突出させた側面視山形状部７ａが形成され、その先端７ｃは再び導電板基部６ａ方向に曲げられている。このような山形状部７ａを持つ口金ピン保持ばね部７によって、口金ピン２５が導電金具６の内側へ入ることが防止され、しかも、グロースターター回転装着時のクリック感が得られる。
【００１８】
速結端子部８は、導電板基部６ａの他端側をほぼ直角に曲折形成した片８ｃに形成した鎖錠ばね部８ｂと、この鎖錠ばね部８ｂに対峙する導電板基部６ａ自体である導電部８ａとから構成される。鎖錠ばね部８ｂの先端側とその切り起しにより形成された空間が、芯線１０の挿入口となり、挿入された芯線１０は鎖錠ばね部８ｂと導電部８ａとにより挟み込まれ、抜け止めされる。
【００１９】
芯線１０の先端は、口金ピン保持ばね部７の内面と導電板基部６ａとの間に挿入され、山形状部７ａの先端７ｃと導電板基部６ａの間を通過する。ここに、上記口金ピン保持ばね部７の折り曲げ部分内側６ｃは、速結端子部８に接続された芯線１０の延長線上に位置しているので、挿入された芯線１０が長くても、特別なストッパを必要とすることなく、折り曲げ部分内側６ｃで止まる。なお、導電金具６は、導電板固定部６ｄ，８ｄによりソケットボディ４内に係止される。
【００２０】
上記のような導電金具６がボディ４に収納された状態では、図２に示されるように、各々の導電板基部６ａは、口金ピン挿入孔２３の外側に配置され、速結端子部８の導電部８ａのある側からグロースターター２０の回転装着方向と略同一方向へ延長した形態となり、その一端側６ｂを鎖錠ばね部８ｂと同じ側へ９０度以上曲げることにより上記口金ピン保持ばね部７が形成されていることになる。
この保持ばね部７も各口金ピン挿入孔２３の小径部２３ｂの外周側に近接して配置される。また、速結端子部８は各電線挿入口１７が位置する側面のボディ内面に配置され、しかも、口金ピン挿入孔２３の大径部２３ａに近接し、かつ同大径部２３ａに向けて配置されている。こうして、速結端子部８を、ボディ４の外側から口金ピン挿入孔２３を通して視認可能としている。
【００２１】
さらに、速結端子部８における電線接続状態を外部から容易に視認可能とする、すなわち、視界を確保するために、次のような構成が取られている。口金ピン保持ばね部７の先端７ｃは、口金ピン挿入孔２３の大径部２３ａから遠ざかる方向へ曲げられ、かつ、この先端７ｃは鎖錠ばね部８ｂに掛からない長さとされている。また、鎖錠ばね部８ｂは電線９（芯線１０）を挟み込む時に、ボディ４の内側に向けて開くように配置される。また、電線挿入孔１７への電線９の挿入方向は、口金ピン大径部２５の口金ピン挿入孔２３への挿入方向と直交するものとされている。これにより、ソケットボディ４の上面からグロースターター２０を装着し、側面から電線９を挿入する形態を採用でき、グロースターターと電線を共にソケットボディ４の上面から装着・挿入するような形態に較べてソケットボディ４を小型化できる。
【００２２】
図４はソケット１の外観を示し、図５は図４のＡ部を拡大して示す。図示のように、口金ピン挿入孔２３の大径部２３ａを通して速結端子部８を目視するための視界が確保されている。これにより、電線９の芯線１０が鎖錠ばね部８ｂと導電部８ａとの間に適切に挟持されているかどうかを確認することができる。また、鎖錠ばね部８ｂの変形度合を目で確認することにより、安価な銅合金を用いて再結線不可の速結端子を用いた場合でも、その速結端子が一度でも電線接続・解除されたものかどうかを判断することができる。
【００２３】
次に、グロースターター２０をソケット１に装着するときは、口金ピン大径部２５を口金ピン挿入孔２３の大径部２３ａに挿入させ、図２の矢印方向に回転させるが、そのときに口金ピン大径部２５が口金ピン保持ばね部７の先端側の山形状部７ａから接触するような位置関係とされている。グロースターター２０の回転に伴い、各口金ピン大径部２５が各口金ピン保持ばね部７の先端側から山形状部７ａを乗り越えて保持される。このとき、適度なクリック感が得られるので、グロースターター２０が中途半端な位置に保持されることがなくなる。しかも、導電板基部６ａの一端側６ｂ（支点）と口金ピン保持ばね部７との距離が比較的短くなるので、大きな口金ピン保持力が得られる。ソケット１にグロースターター２０を装着した状態を図６に示している。
【００２４】
図７は他の実施形態による導電金具６を示す。上述の実施形態では、電線挿入孔１７への電線９の挿入方向が口金ピン大径部２５の口金ピン挿入孔２３への挿入方向と直交するものを示したが、図７に示す実施形態の導電金具６を用いれば、電線挿入孔１７への電線９の挿入方向が、口金ピン挿入孔２３へのグロースターターの挿入方向と平行とすることができる。
【００２５】
この導電金具６は、導電板基部６ａの一端上縁から延出させた連結片８ｅを略直角に折り曲げ、その先端側を折り返して鎖錠ばね部８ｂを形成したものである。連結片８ｅに電線を挿通させる開口が設けられている。導電板基部６ａ自体の導電部８ａと鎖錠ばね部８ｂとで速結端子部８が構成される。また、導電板基部６ａ自体が口金ピン保持ばね部７を形成している。速結端子部８は、口金ピン保持部（図示では手前面）とほぼ同一高さ、又はやや底面側に配置され、口金ピン挿入孔を通して電線９の挿入方向と同一方向斜めに視認されるようになる。なお、この導電金具６を使用する場合、導電板の展開図は矩形にはならない。
【００２６】
ソケットボディ４に対する電線９の挿入方向は、上記各実施形態のものに限られず、鎖錠ばね部８ｂによる電線９の保持状態を、口金ピン挿入孔２３（大径部２３ａ）を通して視認できる構成であれば、いずれの方向でも構わない。図８（ａ）〜（ｄ）に各種の形態を示す。（ａ）（ｂ）はソケットの要部平面図であり、（ｃ）（ｄ）はソケットの要部断面図であって、上述と同部材には同番号を付している。電線９の挿入方向が、（ａ）はソケットボディ４の側面から、（ｂ）はソケットボディ４の手前から、（ｃ）はソケットボディ４の上面から、（ｄ）はソケットボディ４の底面からの場合である。
【００２７】
なお、本発明は上記実施の形態の構成に限られず種々の変形が可能である。例えば、上記実施の形態では、口金ピン挿入孔の大径部を通して電線を挟持する速結端子部を視認可能な形態について説明したが、口金ピン挿入孔の大径部と小径部の両者又は小径部を通して同速結端子部を視認できるような形態であってもよい。
【００２８】
【発明の効果】
以上のように請求項１の発明によれば、口金ピン挿入孔大径部と電線を挟持する速結端子部とが近接して配置されているので、口金ピン挿入孔大径部を通して電線の接続状態を目視により容易に確認することができ、電線と導電金具との電気的な接続及び抜け防止を確実に行うことができる。また、鎖錠ばね部の変形度合を目で確認することにより、電線接続が適正であるかどうかを判断できる。本発明によれば、電線の挿入方向が口金ピン挿入孔へのグロースターターの挿入方向と直交するようにしたので、ソケットボディの上面からグロースターターを装着し、側面から電線を挿入する形態を採用可能であり、グロースターターと電線を共にソケットボディの上面から装着・挿入するような形態に較べてソケットボディを小型化できる。本発明によれば、速結端子部を口金ピン挿入孔大径部へ向けて配置されているので、視認性をより高めることができる。
請求項２の発明によれば、口金ピン保持部がソケットの内側方向へ曲げることにより形成され、その先端が結線後の鎖錠ばね部に掛からないため、口金ピン挿入孔大径口から電線接続状態を的確に目視することができる。また、口金ピン保持部とその支点の距離が短くなるので、大きな弾性力で口金ピンを保持することができる。
請求項３の発明によれば、口金ピン保持部の先端を速結端子部方向に曲げているので、口金ピン保持部が山形状となり、口金ピンが導電板の内側へ入ることを防ぎ、グロースターター回転装着時のクリック感を得ることもできる。
【図面の簡単な説明】
【図１】  本発明の一実施形態によるグロースタータソケットの分解状態での外観図。
【図２】  同ソケットの底面図。
【図３】  同ソケットに収納される導電金具の構成図。
【図４】  同ソケットの外観図。
【図５】  図４のＡ部の拡大斜視図。
【図６】  同ソケットにグロースターターを装着した状態の斜視図。
【図７】  本発明の他の実施形態による導電金具を示す斜視図。
【図８】  ソケットボディに対する電線の各種挿入方向を示す図であり、（ａ）、（ｂ）はソケットの要部平面図、（ｃ）、（ｄ）はソケットの要部断面図。
【図９】  従来のグロースタータソケットの分解斜視図。
【図１０】  従来のグロースタータソケットの底面図。
【符号の説明】
１    ソケット
４    ソケットボディ
６    導電金具
６ａ  導電板基部
７    口金ピン保持ばね部
７ａ  山形状部
８    速結端子部
８ｂ  鎖錠ばね部
８ａ  導電部
９    電線
１７  電線挿入口
２０  グロースターター
２３  口金ピン挿入孔
２３ａ  口金ピン挿入孔大径部
２５  口金ピン大径部
【図１】
0004569031.tif 000002
【図２】
0004569031.tif 000003
【図３】
0004569031.tif 000004
【図４】
0004569031.tif 000005
【図５】
0004569031.tif 000006
【図６】
0004569031.tif 000007
【図７】
0004569031.tif 000008
【図８】
0004569031.tif 000009
【図９】
0004569031.tif 000010
【図１０】
0004569031.tif 000011